(57)【要約】【課題】電池収納部及びケーブル挿通部をそれぞれ電池蓋及びケーブル蓋で閉じた状態で電池収納部の収納口とケーブル挿通部との連通部分のシール性を高める仕組みを提供する。【解決手段】電子機器は、外部電源にケーブル１１１を介して接続される電池カプラ１１を収納可能な電池収納部１０と、電池収納部１０の収納口を開閉可能に覆う電池蓋７と、電池蓋７に設けられ、電池蓋７と前記収納口との間をシールするシール部材７１と、電池収納部１０の側壁に前記収納口に連通して形成され、電池収納部１０に収納された電池カプラ１１からケーブル１１１を外部に引き出すためのケーブル挿通部１２と、ケーブル挿通部１２を開閉可能に覆うケーブル蓋８と、を備える。ケーブル蓋８には、電池収納部１０及び前記ケーブル挿通部１２をそれぞれ電池蓋７及びケーブル蓋８で閉じた際に、シール部材７１を斜め方向に押圧する斜面部８３が設けられる。【選択図】図１１
2015076668.tif 000002
【特許請求の範囲】
【請求項１】
外部電源にケーブルを介して接続される電池カプラを収納可能な電池収納部と、
前記電池収納部の収納口を開閉可能に覆う電池蓋と、
前記電池蓋に設けられ、前記電池蓋と前記収納口との間をシールするシール部材と、
前記電池収納部の側壁に前記収納口に連通して形成され、前記電池収納部に収納された前記電池カプラから前記ケーブルを外部に引き出すためのケーブル挿通部と、
前記ケーブル挿通部を開閉可能に覆うケーブル蓋と、を備え、
前記ケーブル蓋には、前記電池収納部及び前記ケーブル挿通部をそれぞれ前記電池蓋及び前記ケーブル蓋で閉じた際に、前記シール部材を斜め方向に押圧する斜面部が設けられることを特徴とする電子機器。
【請求項２】
前記シール部材は、断面矩形状に形成され、前記ケーブル蓋の前記斜面部は、前記シール部材の角部を押圧することを特徴とする請求項１に記載の電子機器。
【請求項３】
前記ケーブル蓋は、前記ケーブル挿通部の内壁部との間に凹凸嵌合部を有することを特徴とする請求項１又は２に記載の電子機器。
【請求項４】
前記凹凸嵌合部は、前記ケーブル蓋の幅方向両側及び上部に配置され、
前記斜面部は、前記ケーブル蓋の下部に配置されることを特徴とする請求項３に記載の電子機器。
【請求項５】
前記ケーブル蓋の下部の幅方向両側には、Ｌ字状の突部がそれぞれ設けられ、
前記突部は、一端が前記凹凸嵌合部の後側で前記凹凸嵌合部に対して前記ケーブルの挿通方向に重なる位置に配置されて、前記ケーブル挿通部の幅方向両側の内壁部に押圧接触し、他端が前記シール部材を前記斜面部とともに斜め方向に押圧することを特徴とする請求項４に記載の電子機器。
【発明の詳細な説明】
【技術分野】
【０００１】
本発明は、例えばデジタルカメラやデジタルビデオカメラ等の電子機器に関する。
【背景技術】
【０００２】
デジタルカメラやデジタルビデオカメラ等の電子機器では、専用の外部電源端子を設けず、電池と略同形状の電池カプラを機器本体の電池収納部に収納し、電池カプラから延びるケーブルを外部電源に接続するものが知られている。
【０００３】
例えば、カメラ本体のグリップ部の内部に、カメラ本体の底面側から電池カプラを収納可能な電池収納部を形成し、電池収納部の収納口を電池蓋で開閉可能に覆う技術が提案されている（特許文献１）。
【０００４】
この提案では、電池収納部の側壁に、電池カプラから延びるケーブルを外部に引き出すためのケーブル挿通部を切り欠きにより形成している。そして、ケーブル挿通部にケーブル蓋をスライド可能に設け、電池カプラを使用しないときは、ケーブル蓋をスライド操作することで、ケーブル挿通部を覆うようにしている。
【先行技術文献】
【特許文献】
【０００５】
【特許文献１】特許第２６６４９５２号公報
【発明の概要】
【発明が解決しようとする課題】
【０００６】
しかし、上記特許文献１では、電池収納部及びケーブル挿通部をそれぞれ電池蓋及びケーブル蓋で閉じた場合に、電池蓋及びケーブル蓋の周囲に隙間が発生しやすく、特に電池収納部の収納口とケーブル挿通部との連通部分のシール性を確保することが難しい。
【０００７】
そこで、本発明は、電池収納部及びケーブル挿通部をそれぞれ電池蓋及びケーブル蓋で閉じた状態で電池収納部の収納口とケーブル挿通部との連通部分のシール性を高める仕組みを提供することを目的とする。
【課題を解決するための手段】
【０００８】
上記目的を達成するために、本発明の電子機器は、外部電源にケーブルを介して接続される電池カプラを収納可能な電池収納部と、前記電池収納部の収納口を開閉可能に覆う電池蓋と、前記電池蓋に設けられ、前記電池蓋と前記収納口との間をシールするシール部材と、前記電池収納部の側壁に前記収納口に連通して形成され、前記電池収納部に収納された前記電池カプラから前記ケーブルを外部に引き出すためのケーブル挿通部と、前記ケーブル挿通部を開閉可能に覆うケーブル蓋と、を備え、前記ケーブル蓋には、前記電池収納部及び前記ケーブル挿通部をそれぞれ前記電池蓋及び前記ケーブル蓋で閉じた際に、前記シール部材を斜め方向に押圧する斜面部が設けられることを特徴とする。
【発明の効果】
【０００９】
本発明によれば、電池収納部及びケーブル挿通部をそれぞれ電池蓋及びケーブル蓋で閉じた状態で電池収納部の収納口とケーブル挿通部との連通部分のシール性を高めることができる。
【図面の簡単な説明】
【００１０】
【図１】（ａ）は本発明の電子機器の実施形態の一例であるデジタル一眼レフカメラのカメラ本体を正面側（被写体側）から見た斜視図、（ｂ）は（ａ）に示すカメラ本体を背面側から見た斜視図である。
【図２】カメラ本体を底面側から見た斜視図である。
【図３】カメラ本体の電池収納部に電池カプラを挿入する様子を示す斜視図である。
【図４】カメラ本体の電池収納部に電池カプラを収納して電池蓋を閉じた状態の斜視図である。
【図５】カメラ本体の正面カバーから外装ラバーを取り外した状態を示す斜視図である。
【図６】外装ラバーを取り外した状態でのカメラ本体のボトムカバーユニットの分解斜視図である。
【図７】カメラ本体のケーブル蓋周りをレンズマウント側から見た部分分解斜視図である。
【図８】カメラ本体のケーブル蓋周りをグリップ部側から見た部分分解斜視図である。
【図９】電池蓋及びケーブル蓋を閉じた状態でのカメラ本体のケーブル蓋周りの斜視図である。
【図１０】図９のＡ−Ａ線断面図である。
【図１１】図９のＢ−Ｂ線断面図である。
【図１２】図９のＣ−Ｃ線断面図である。
【図１３】図９のＤ−Ｄ線断面図である。
【発明を実施するための形態】
【００１１】
以下、本発明の実施形態の一例を図面を参照して説明する。
【００１２】
図１（ａ）は本発明の電子機器の実施形態の一例であるデジタル一眼レフカメラのカメラ本体を正面側（被写体側）から見た斜視図、図１（ｂ）は図１（ａ）に示すカメラ本体を背面側から見た斜視図である。
【００１３】
本実施形態のデジタル一眼レフカメラは、図１（ａ）に示すように、カメラ本体１の正面側の略中央にレンズマウント２が設けられ、レンズマウント２には、交換式のレンズ鏡筒（不図示）が着脱可能に装着される。カメラ本体１を正面側から見て左側の側部には、グリップ部５が設けられ、グリップ部５の上部には、レリーズボタン６が設けられる。グリップ部５の内部には、後述する電池収納部１０（図３参照）が設けられる。図１（ｂ）に示すように、カメラ本体１の背面側には、ビューファインダ３、及びＬＣＤ等の表示ユニット４等が設けられる。表示ユニット４は、撮影時にビューファインダとしても利用可能となっている。
【００１４】
図２は、カメラ本体１を底面側から見た斜視図である。図３は、カメラ本体１の電池収納部１０に電池カプラ１１を挿入する様子を示す斜視図である。図４は、カメラ本体１の電池収納部１０に電池カプラ１１を収納して電池蓋７を閉じた状態の斜視図である。
【００１５】
図２及び図３に示すように、カメラ本体１のグリップ部５の内部には、カメラ本体１の底面側から電池カプラ１１又は電池（不図示）を収納可能な電池収納部１０が形成される。電池カプラ１１は、ケーブル１１１を介して外部電源に接続され、電池収納部１０の収納口は、電池蓋７により開閉可能に覆われる。
【００１６】
また、電池収納部１０の側壁には、図３及び図４に示すように、電池カプラ１１から延びるケーブル１１１を外部に引き出すためのケーブル挿通部１２が切り欠き等により形成される。ケーブル１１１は、ＡＣアダプタ等の不図示の外部電源に接続される。そして、ケーブル挿通部１２には、ケーブル蓋８が開閉可能に設けられ、電池カプラ１１を使用しないときは、ケーブル蓋８を閉じることで、ケーブル挿通部１２が塞がれる。ここで、本実施形態では、電池蓋７は、カメラ本体１の外装カバーと同等のエンジニアリングプラスチック等で形成され、ケーブル蓋８は、エラストマー等の可撓性部材で形成される。
【００１７】
図５は、カメラ本体１の正面カバー１４から外装ラバー１３ａ，１３ｂを取り外した状態を示す斜視図である。図６は、外装ラバー１３ａ，１３ｂを取り外した状態でのカメラ本体１のボトムカバーユニットの分解斜視図である。
【００１８】
図５に示すように、外装ラバー１３ａ，１３ｂは、カメラ本体１の正面カバー１４に貼付される。外装ラバー１３ａ，１３ｂは、ゴムやエラストマーなどの滑りにくい部材で形成され、ユーザがカメラ本体１を把持した際の滑り止めとして機能する。
【００１９】
図６に示すように、ボトムカバーユニットは、ボトムカバー１５、シール部材７１、及び電池蓋７により構成され、ボトムカバー１５、及び電池蓋７によりカメラ本体１の底面側の外装を形成する。ボトムカバー１５は、ビス１６によりカメラ本体１に固定され、電池蓋７は、ボトムカバー１５に対してヒンジ部７２を介して開閉方向に回動可能に支持される。また、電池蓋７には、閉じ状態でボトムカバー１５の不図示の係止部に係脱可能に係止して、電池蓋７の閉じ状態を維持する爪部７３が設けられる。
【００２０】
シール部材７１は、ウレタンフォームやシリコンゴム等の弾性を有する部材で形成され、電池蓋７の内面側に電池蓋７の外周に沿って貼付けられる。シール部材７１は、電池蓋７の閉じ状態で、電池蓋７とボトムカバー１５との間で挟まれて圧縮変形する。これにより、電池収納部１０の収納部と電池蓋７の間に隙間が発生しなくなり、電池収納部１０に外部から水等が侵入するのを防止することができる。ここで、本実施形態では、電池蓋７、シール部材７１、ケーブル蓋８の硬さは、硬い順から電池蓋７、ケーブル蓋８、シール部材７１となっている。
【００２１】
図７は、カメラ本体１のケーブル蓋８周りをレンズマウント２側から見た部分分解斜視図である。図８は、カメラ本体１のケーブル蓋８周りをグリップ部５側から見た部分分解斜視図である。
【００２２】
図７及び図８において、電池蓋７は、ボトムカバー１５に組み込まれて、閉じ状態である。ボトムカバー１５の一部は、電池収納部１０を構成しており、ボトムカバー１５には、上述したケーブル挿通部１２が形成されている。ケーブル蓋８の上部には、突部８１が設けられ、突部８１は、ケーブル挿通部１２の上部に形成された溝部１５１に嵌め込まれる。ケーブル蓋８の幅方向両側には、それぞれ溝部８２が形成され、溝部８２は、ケーブル挿通部１２の幅方向両側にそれぞれ形成された突部１５２に嵌め込まれる。
【００２３】
また、ケーブル蓋８の下部には、斜面部８３が形成され、斜面部８３は、電池蓋７及びケーブル蓋８の閉じ状態で、断面矩形状のシール部材７１の上側角部を押圧する。ケーブル蓋８の幅方向両側の溝部８２の下方には、それぞれＬ字状の突部８４が形成される。Ｌ字状の突部８４の一端は、ボトムカバー１５の突部１５２に対してケーブル１１１の挿通方向に重なる位置に配置され、突部８４の他端は、斜面部８３と同様に、断面矩形状のシール部材７１の上側角部を押圧する位置に配置される。また、Ｌ字状の突部８４は、ケーブル挿通部１２の幅方向両側のボトムカバー１５の内壁部１５３に押圧接触する。
【００２４】
次に、図９乃至図１３を参照して、ケーブル蓋８とボトムカバー１５のケーブル挿通部１２との関係について更に説明する。図９は、電池蓋７及びケーブル蓋８を閉じた状態でのカメラ本体１のケーブル蓋８周りの斜視図である。図１０は、図９のＡ−Ａ線断面図である。図１１は、図９のＢ−Ｂ線断面図である。図１２は、図９のＣ−Ｃ線断面図である。図１３は、図９のＤ−Ｄ線断面図である。
【００２５】
図１０に示すように、ケーブル蓋８の幅方向両側の溝部８２は、それぞれボトムカバー１５のケーブル挿通部１２の幅方向両側の突部１５２にそれぞれ嵌め込まれ、ケーブル蓋８がボトムカバー１５に密着した状態で保持される。これにより、ケーブル蓋８の左右両側から水等が侵入することを防ぐことができる。
【００２６】
図１１に示すように、ケーブル蓋８の斜面部８３は、断面矩形状のシール部材７１の上側角部を斜め方向に押圧する。ここで、ケーブル蓋８は、シール部材７１よりも硬いため、シール部材７１は、圧縮変形してケーブル蓋８の斜面部８３がシール部材７１と密着した状態となる。これにより、ケーブル蓋８の下部の電池収納部１０の収納口とケーブル挿通部１２との連通部分から水等が侵入するのを防ぐことができる。なお、電池蓋７及びケーブル蓋８のどちらを先に閉じてもシール部材７１の圧縮状態は同じになるため、閉じる順番を気にしなくても良い。また、ケーブル蓋８の上部に設けられた突部８５は、正面カバー１４の凹部にはめ込まれる、いわゆるインロー構造を形成しており、これにより、ケーブル蓋８上部から水等が侵入するのを防ぐことができる。
【００２７】
図１２及び図１３に示すように、ケーブル蓋８のＬ字状の突部８４は、その一端がボトムカバー１５の突部１５２の後側で突部１５２とケーブル１１１の挿通方向に重なる位置に配置される。また、ケーブル蓋８のＬ字状の突部８４は、ケーブル挿通部１２の幅方向両側のボトムカバー１５の内壁部１５３に圧縮状態で押圧接触して密着した状態となっている。
【００２８】
また、ケーブル蓋８のＬ字状の突部８４の他端は、斜面部８３と同様に、断面矩形状のシール部材７１の上側角部を斜め方向に押圧する。ここで、ケーブル蓋８は、シール部材７１よりも硬いため、シール部材７１は、圧縮変形してＬ字状の突部８４の他端がシール部材７１と密着した状態となる。これにより、ケーブル蓋８の下部において、ケーブル蓋８の溝部８２とボトムカバー１５の突部１５２との凹凸嵌合部、及びケーブル蓋８の斜面部８３のシール部材７１の押圧部以外から水等が侵入することを防ぐことができる。
【００２９】
以上説明したように、本実施形態では、電池収納部１０及びケーブル挿通部１２をそれぞれ電池蓋７及びケーブル蓋８で閉じた状態で電池収納部１０の収納口とケーブル挿通部１２との連通部分のシール性を高めることができる。
【００３０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３１】
１  カメラ本体
７  電池蓋
８  ケーブル蓋
１０  電池収納部
１１  電池カプラ
１２  ケーブル挿通部
７１  シール部材
８３  斜面部
１１１  ケーブル
【図１】
2015076668.tif 000003
【図２】
2015076668.tif 000004
【図３】
2015076668.tif 000005
【図４】
2015076668.tif 000006
【図５】
2015076668.tif 000007
【図６】
2015076668.tif 000008
【図７】
2015076668.tif 000009
【図８】
2015076668.tif 000010
【図９】
2015076668.tif 000011
【図１０】
2015076668.tif 000012
【図１１】
2015076668.tif 000013
【図１２】
2015076668.tif 000014
【図１３】
2015076668.tif 000015